(57)【要約】【課題】摩擦熱により顎骨が壊死することのない、歯科用ドリル及び該歯科用ドリルを用いた歯科インプラント埋込のための穿孔方法を提供すること。【解決手段】回転軸対称に形成された２つの切刃を有し、先端部にシンニングが施されているドリルであって、切刃がドリル先端側から見た時、チゼルエッジからドリル外周側に向けて曲線を含む形状に延びるシンニング切刃と、シンニング切刃の端部からドリル外周端まで延びる主切刃とからなり、シンニング切刃により形成されたシンニング面が、ドリル正面側から見たとき、ドリル軸芯方向に対して傾斜した略放物線状に形成される第１の歯科用ドリルと、先端部の直径がドリル直径よりも小さく、傾斜部を備え、逃げ角βが傾斜部の外周にのみ設けられ、外周溝が２つの切刃の両側に設けられ、ドリル直径が第１の歯科用ドリルよりも大きい第２及び第３の歯科用ドリルとする。【選択図】図１７
2017217278.tif 000002
【特許請求の範囲】
【請求項１】
回転軸対称に形成された２つの切刃を有し、先端部にシンニングが施されている歯科用ドリルであって、
前記切刃が、ドリル先端側から見たとき、チゼルエッジからドリル外周側に向けて曲線を含む形状に延びるシンニング切刃と、前記シンニング切刃の端部からドリル外周端まで延びる主切刃とからなり、
前記シンニング切刃により形成されたシンニング面の切屑排出溝との境界の稜線が、前記切屑排出溝の開口側であるドリル正面側から見たとき、ドリル軸芯方向に対してドリル先端側から基端側に向かうにつれてシンニング切刃側から主切刃側へと移行する方向に傾斜した略Ｕ字状に形成されており、
前記主切刃により形成されたすくい角θ１と、前記シンニング切刃により形成されたすくい角θ２がチゼルの直下を除いて、θ１＞θ２＞０°を満たすことを特徴とする第１の歯科用ドリル。
【請求項２】
回転軸対称に形成された２つの切刃を有し、先端部にシンニングが施されている歯科用ドリルであって、
前記切刃が、ドリル先端側から見たとき、チゼルエッジからドリル外周側に向けて曲線を含む形状に延びるシンニング切刃と、前記シンニング切刃の端部からドリル外周端まで延びる主切刃とからなり、
前記シンニング切刃により形成されたシンニング面の切屑排出溝との境界の稜線が、前記切屑排出溝の開口側であるドリル正面側から見たとき、ドリル軸芯方向に対してドリル先端側から基端側に向かうにつれてシンニング切刃側から主切刃側へと移行する方向に傾斜した略Ｕ字状に形成されており、
前記主切刃により形成されたすくい角θ１と、前記シンニング切刃により形成されたすくい角θ２がチゼルの直下を除いて、θ１＞θ２＞０°を満たし、
前記先端部の直径がドリル直径よりも小さく、
前記先端部と前記ドリル直径の外径部との間に傾斜部を備え、
逃げ角βｏｕｔｅｒが前記傾斜部の外周にのみ設けられ、
外周溝が前記２つの切刃の両側に設けられ、
ドリル直径が第１の歯科用ドリルよりも大きいことを特徴とする第２の歯科用ドリル。
【請求項３】
請求項２に記載の第２の歯科用ドリルにおいて、ドリル直径が請求項２に記載の第２の歯科用ドリルよりもさらに大きいことを特徴とする第３の歯科用ドリル。
【請求項４】
前記シンニング面の最深部に沿って延びる線をドリル先端方向に延長した延長線が、前記ドリル正面側から見たとき、ドリル先端中心部と交わらずにドリルのヒール側又は切刃側にずれていることを特徴とする請求項１乃至３のいずれか１つに記載の第１乃至第３の歯科用ドリル。
【請求項５】
前記ずれの幅が、ドリル直径の１０％以内であることを特徴とする請求項４に記載の第１乃至第３の歯科用ドリル。
【請求項６】
前記延長線が、ドリルのヒール側にずれていることを特徴とする請求項４又は５に記載の第１乃至第３の歯科用ドリル。
【請求項７】
前記延長線が、ドリルの切刃側にずれていることを特徴とする請求項４又は５に記載の第１乃至第３の歯科用ドリル。
【請求項８】
前記シンニング面の最深部に沿って延びる線をドリル先端方向に延長した延長線が、前記ドリル正面側から見たとき、ドリル先端中心部と交わることを特徴とする請求項１乃至３のいずれか１つに記載の第１乃至第３の歯科用ドリル。
【請求項９】
前記シンニング切刃のチゼルの直下を含む部分にすくい角が形成されていることを特徴とする請求項４乃至６のいずれか１つに記載の第１乃至第３の歯科用ドリル。
【請求項１０】
前記シンニング切刃のチゼルの直下近傍であって且つ直下を含まない部分にすくい角が形成されていることを特徴とする請求項４，５，７，８のいずれか１つに記載の第１乃至第３の歯科用ドリル。
【請求項１１】
前記逃げ角βｏｕｔｅｒが０°＜βｏｕｔｅｒ＜２０°であることを特徴とする、請求項２乃至１０のいずれか１つに記載の第２又は第３の歯科用ドリル。
【請求項１２】
前記外周溝が、２枚刃の外周に対し交互に設けられていることを特徴とする、請求項２乃至１１のいずれか１つに記載の第２又は第３の歯科用ドリル。
【請求項１３】
前記外周溝が、２枚刃の外周に対し同位置に設けられていることを特徴とする、請求項２乃至１１のいずれか１つに記載の第２又は第３の歯科用ドリル。
【請求項１４】
ドリル直径が１．５ｍｍ〜３．５ｍｍであることを特徴とする、請求項１又は４乃至１０のいずれか１つに記載の第１の歯科用ドリル。
【請求項１５】
ドリル直径が３．０ｍｍ〜５．０ｍｍであることを特徴とする、請求項２又は４乃至１３のいずれか１つに記載の第２の歯科用ドリル。
【請求項１６】
ドリル直径が４．０ｍｍ〜６．０ｍｍであることを特徴とする、請求項３乃至１３のいずれか１つに記載の第３の歯科用ドリル。
【請求項１７】
請求項１、４乃至１０、又は１４のいずれか１つに記載の第１の歯科用ドリルと、
請求項２、４乃至１３、又は１５のいずれか１つに記載の第２の歯科用ドリルと、
請求項３乃至１３、又は１６のいずれか１つに記載の第３の歯科用ドリルと
からなる歯科用ドリルセット。
【請求項１８】
（１）第１の歯科用ドリルを用いて、該第１のドリルの直径によって顎骨の予め決められた位置に、顎骨の皮質を該第１のドリル先端によって穿孔して第１のパイロット孔を穿設して、顎骨内に穿設された前記第１のパイロット孔に深さ測定ゲージを導入して前記第１のパイロット孔を正確な深さに制御する工程と、
（２）前記第１の歯科用ドリルの直径より大きい直径を有する第２の歯科用ドリルを前記第１のパイロット孔に挿入して穿孔して第２のパイロット孔を穿設して、顎骨内に穿設された第２のパイロット孔に対応する深さ測定ゲージを導入して前記第２のパイロット孔を正確な深さに制御する工程と、
（３）前記第２の歯科用ドリルの直径より大きい直径を有する第３の歯科用ドリルを前記第２のパイロット孔に挿入して穿孔して第３のパイロット孔を穿設して、顎骨内に穿設された第３のパイロット孔に対応する深さ測定ゲージを導入して前記第３のパイロット孔を正確な深さに制御する工程と、
（４）前記第３のパイロット孔にインプラントを螺着する工程と
を含む歯科用ドリルを用いた歯科インプラント埋込のための穿孔方法。
【発明の詳細な説明】
【技術分野】
【０００１】
本発明は歯科用ドリル及び該歯科用ドリルを用いた歯科インプラント埋込のための穿孔方法に関する。
【背景技術】
【０００２】
ドリルの歯科治療への適用、とりわけ歯科用インプラントの顎骨への埋込について、特許文献１には、歯科用インプラント（即ち、外科的に顎骨に固定される人工的な歯支持体）の身体への受け入れを確実にするために、所定の時間、妨害されずに治癒するままにしておくことが開示されている。歯科用インプラントの配置を行う間に、歯科用インプラントの正確な外科的配置が実行される。この歯科用インプラントの部位は、低速度で骨を穿孔する歯科用ドリルを使用して、準備がなされ、患者の顎骨に準備を施し、所定の径を有する略円筒状の歯科用インプラントを受け入れる穿孔部位を提供し得るように、ドリルと共に使用されるドリル・ビット、又はバーの径を徐々に大きいものにしていくとしている。
【０００３】
特許文献１には、外科的な穿孔処置は、歯科用インプラント埋込術が成功する上で極めて重要であり、この成功のためには、歯科用インプラントの生体表面すなわちバイオメディカル表面が、骨に対して骨性一体化すなわちオセィオインテグレーション（ｏｓｓｅｏｉｎｔｅｇｒａｔｉｏｎ）することが必要とされること、歯科用インプラント埋込術が失敗し、また、拒絶される一つの大きな理由は、歯科用インプラントを準備する間に、骨が過熱することであるとされており、１分間、４７°Ｃ以上の温度を受けたとき骨細胞が生存し得ないことは、多数の研究で明らかにされていることが開示されている。
【０００４】
特許文献１の発明では、ドリル・バーが着脱可能に取り付けられた外科用ヘッドを有する型式の外科用ドリルの温度計測器組立体において、ドリル・バーの先端まで伸長する透孔を有するドリル・バーと、前記ドリル・バーの先端における温度を検出し且つ測定するための、前記ドリル・バーの透孔内に受け入れ可能な温度センサ手段と、前記ドリル・バー先端における温度を表示するための、前記温度センサ手段に結合された温度計測手段とを備えることで、骨が４７°Ｃ以上の温度にならないようにしている。
【０００５】
また特許文献２には、歯科用インプラントの顎骨への埋込孔の形成の際、最初から大きい直径のドリルで穿孔すると、ドリルと顎骨との接触面積が大きくなり、ドリルの回転による摩擦熱が増加し、顎骨が壊死するリスクが増大するので、摩擦熱が増加して顎骨が壊死するのを避けるために、歯科用インプラントの顎骨への埋込孔の穿孔は、まず直径の小さいドリルで埋め込む歯科用インプラントの長さに合わせた深さまで下孔の形成を行い、続いて下孔の直径よりも少し大きい直径のドリルで同じ深さまで穿孔し、これを繰り返すことで、埋入する歯科用インプラントの外径サイズに合わせた直径まで徐々に拡大させて形成する必要があることが開示されている。
【０００６】
特許文献３には、歯科用ドリルによる穿孔がインプラントと後の義歯の正しい位置を保証するために、局部的に非常に正確に植込み適合した箇所にて顎骨を突き通ることができるステップドリルを提供することを目的とし、この目的を達成するために、顎骨に設けるべき袋孔状の段状孔として、歯科インプラントを収容するインプラントベットを準備するためのパイロットドリルと、段状孔に対して前もって顎骨内に設けられた袋孔状パイロット孔を拡大するために（即ち、歯科インプラント（移植組織）の収容部としてのさらに拡大された段状孔に対して現存の段状孔を拡大するために）、ステップドリル、第２ステップドリル、第３ステップドリルを備えることが開示されている。
【０００７】
特許文献３には、段状ガイドが２．０ｍｍの範囲内の長さを有すること、ステップドリルが三刃に形成され、それでそれぞれ三つの先端刃、研磨部、案内刃、螺旋溝、斜角面と段状刃を有すること、ドリルネックは使用すべきインプラント（移植組織）の少なくとも挿入深さの長さを有すること、第２と第３ステップドリルの段状ガイドは、２．０ｍｍ，２．８ｍｍ，或いは３．５ｍｍの範囲内の直径を有し、そしてこれら第１、第２と第３のドリルネックは２．８ｍｍ，３．５ｍｍ、或いは４．３ｍｍの範囲内の付属する直径を有すること、先端刃の間に位置する先端角は９０°より大きく、特に１２０°の範囲内にあることが開示されている。
【０００８】
また、特許文献４において、本発明者は一般産業用のドリルとして、切削抵抗を大幅に低減することができ、ハンドドリルやボール盤等を使用した人力による穴あけ作業を容易に行うことが可能である一般産業で広く使えるドリルを提案している。
【０００９】
特許文献４に記載されたドリルは、回転軸対称に形成された２つの切刃を有し、先端部にシンニングが施されているドリルであって、前記切刃が、ドリル先端側から見たとき、チゼルエッジからドリル外周側に向けて曲線を含む形状に延びるシンニング切刃と、前記シンニング切刃の端部からドリル外周端まで延びる主切刃とからなり、前記シンニング切刃により形成されたシンニング面が、ドリル正面側から見たとき、ドリル軸芯方向に対して傾斜した略放物線状に形成されていることを構成上の特徴としている。
【先行技術文献】
【特許文献】
【００１０】
【特許文献１】特表９−５０２９１１号公報
【特許文献２】特開２０１６−３００９０号公報
【特許文献３】特表２００６−５１９６４２号公報
【特許文献４】特許５０５１８０１号公報
【発明の概要】
【発明が解決しようとする課題】
【００１１】
叙上の特許文献２及び３に開示された歯科用ドリルはいずれも一般産業用のステップドリルの思想を取り入れてドリルの回転による摩擦熱を抑制しようしているが、ドリル先端部の構成はすくい角について規定されていないので、顎骨の穿孔時に熱を誘発するものである。
また、特許文献４には、特許文献２及び３に開示されているようなステップドリルとしての適用については記載されていない。
従って、本発明はドリルの回転に伴う摩擦熱により顎骨が壊死することのないように、ドリル先端部の主切刃とシンニング切刃の夫々のすくい角を適切に規定した歯科用ドリル及び該歯科用ドリルを用いた歯科インプラント埋込のための穿孔方法を提供することを目的とする。
【課題を解決するための手段】
【００１２】
請求項１に係る発明は、回転軸対称に形成された２つの切刃を有し、先端部にシンニングが施されている歯科用ドリルであって、前記切刃が、ドリル先端側から見たとき、チゼルエッジからドリル外周側に向けて曲線を含む形状に延びるシンニング切刃と、前記シンニング切刃の端部からドリル外周端まで延びる主切刃とからなり、前記シンニング切刃により形成されたシンニング面の切屑排出溝との境界の稜線が、前記切屑排出溝の開口側であるドリル正面側から見たとき、ドリル軸芯方向に対してドリル先端側から基端側に向かうにつれてシンニング切刃側から主切刃側へと移行する方向に傾斜した略Ｕ字状に形成されており、前記主切刃により形成されたすくい角θ１と、前記シンニング切刃により形成されたすくい角θ２がチゼルの直下を除いて、θ１＞θ２＞０°を満たすことを特徴とする第１の歯科用ドリルに関する。
【００１３】
請求項２に係る発明は、回転軸対称に形成された２つの切刃を有し、先端部にシンニングが施されている歯科用ドリルであって、前記切刃が、ドリル先端側から見たとき、チゼルエッジからドリル外周側に向けて曲線を含む形状に延びるシンニング切刃と、前記シンニング切刃の端部からドリル外周端まで延びる主切刃とからなり、前記シンニング切刃により形成されたシンニング面の切屑排出溝との境界の稜線が、前記切屑排出溝の開口側であるドリル正面側から見たとき、ドリル軸芯方向に対してドリル先端側から基端側に向かうにつれてシンニング切刃側から主切刃側へと移行する方向に傾斜した略Ｕ字状に形成されており、前記主切刃により形成されたすくい角θ１と、前記シンニング切刃により形成されたすくい角θ２がチゼルの直下を除いて、θ１＞θ２＞０°を満たし、前記先端部の直径がドリル直径よりも小さく、前記先端部と前記ドリル直径の外径部との間に傾斜部を備え、逃げ角βｏｕｔｅｒが前記傾斜部の外周にのみ設けられ、外周溝が前記２つの切刃の両側に設けられ、ドリル直径が第１の歯科用ドリルよりも大きいことを特徴とする第２の歯科用ドリルに関する。
【００１４】
請求項３に係る発明は、請求項２に記載の第２の歯科用ドリルにおいて、ドリル直径が請求項２に記載の第２の歯科用ドリルよりもさらに大きいことを特徴とする第３の歯科用ドリルに関する。
【００１５】
請求項４に係る発明は、前記シンニング面の最深部に沿って延びる線をドリル先端方向に延長した延長線が、前記ドリル正面側から見たとき、ドリル先端中心部と交わらずにドリルのヒール側又は切刃側にずれていることを特徴とする請求項１乃至３のいずれか１つに記載の第１乃至第３の歯科用ドリルに関する。
【００１６】
請求項５に係る発明は、前記ずれの幅が、ドリル直径の１０％以内であることを特徴とする請求項４に記載の第１乃至第３の歯科用ドリルに関する。
【００１７】
請求項６に係る発明は、前記延長線が、ドリルのヒール側にずれていることを特徴とする請求項４又は５に記載の第１乃至第３の歯科用ドリルに関する。
【００１８】
請求項７に係る発明は、前記延長線が、ドリルの切刃側にずれていることを特徴とする請求項４又は５に記載の第１乃至第３の歯科用ドリルに関する。
【００１９】
請求項８に係る発明は、前記シンニング面の最深部に沿って延びる線をドリル先端方向に延長した延長線が、前記ドリル正面側から見たとき、ドリル先端中心部と交わることを特徴とする請求項１乃至３のいずれか１つに記載の第１乃至第３の歯科用ドリルに関する。
【００２０】
請求項９に係る発明は、前記シンニング切刃のチゼルの直下を含む部分にすくい角が形成されていることを特徴とする請求項４乃至６のいずれか１つに記載の第１乃至第３の歯科用ドリルに関する。
【００２１】
請求項１０に係る発明は、前記シンニング切刃のチゼルの直下近傍であって且つ直下を含まない部分にすくい角が形成されていることを特徴とする請求項４，５，７，８のいずれか１つに記載の第１乃至第３の歯科用ドリルに関する。
【００２２】
請求項１１に係る発明は、前記逃げ角βｏｕｔｅｒが０°＜βｏｕｔｅｒ＜２０°であることを特徴とする、請求項２乃至１０のいずれか１つに記載の第２又は第３の歯科用ドリルに関する。
【００２３】
請求項１２に係る発明は、前記外周溝が、２枚刃の外周に対し交互に設けられていることを特徴とする、請求項２乃至１１のいずれか１つに記載の第２又は第３の歯科用ドリルに関する。
【００２４】
請求項１３に係る発明は、前記外周溝が、２枚刃の外周に対し同位置に設けられていることを特徴とする、請求項２乃至１１のいずれか１つに記載の第２又は第３の歯科用ドリルに関する。
【００２５】
請求項１４に係る発明は、ドリル直径が１．５ｍｍ〜３．５ｍｍであることを特徴とする、請求項１又は４乃至１０のいずれか１つに記載の第１の歯科用ドリルに関する。
【００２６】
請求項１５に係る発明は、ドリル直径が３．０ｍｍ〜５．０ｍｍであることを特徴とする、請求項２又は４乃至１３のいずれか１つに記載の第２の歯科用ドリルに関する。
【００２７】
請求項１６に係る発明は、ドリル直径が４．０ｍｍ〜６．０ｍｍであることを特徴とする、請求項３乃至１３のいずれか１つに記載の第３の歯科用ドリルに関する。
【００２８】
請求項１７に係る発明は、請求項１、４乃至１０、又は１４のいずれか１つに記載の第１の歯科用ドリルと、請求項２、４乃至１３、又は１５のいずれか１つに記載の第２の歯科用ドリルと、請求項３乃至１３、又は１６のいずれか１つに記載の第３の歯科用ドリルとからなる歯科用ドリルセットに関する。
【００２９】
請求項１８に係る発明は、（１）第１の歯科用ドリルを用いて、該第１のドリルの直径によって顎骨の予め決められた位置に、顎骨の皮質を該第１のドリル先端によって穿孔して第１のパイロット孔を穿設して、顎骨内に穿設された前記第１のパイロット孔に深さ測定ゲージを導入して前記第１のパイロット孔を正確な深さに制御する工程と、（２）前記第１の歯科用ドリルの直径より大きい直径を有する第２の歯科用ドリルを前記第１のパイロット孔に挿入して穿孔して第２のパイロット孔を穿設して、顎骨内に穿設された第２のパイロット孔に対応する深さ測定ゲージを導入して前記第２のパイロット孔を正確な深さに制御する工程と、（３）前記第２の歯科用ドリルの直径より大きい直径を有する第３の歯科用ドリルを前記第２のパイロット孔に挿入して穿孔して第３のパイロット孔を穿設して、顎骨内に穿設された第３のパイロット孔に対応する深さ測定ゲージを導入して前記第３のパイロット孔を正確な深さに制御する工程と、（４）前記第３のパイロット孔にインプラントを螺着する工程とを含む歯科用ドリルを用いた歯科インプラント埋込のための穿孔方法に関する。
【発明の効果】
【００３０】
請求項１の発明に係る第１の歯科用ドリルによれば、従来の歯科用ドリルに比べて切削抵抗を大幅に低減することができ、骨穿孔を容易に行うことが可能な歯科用ドリルを提供することができる。また、切削抵抗が低減されることで、穴あけ精度が向上し、穿孔時間が短縮するため作業効率が向上し、ドリルの寿命を大幅に延ばすことも可能となる。さらに、切削抵抗が大幅に低減されているため、骨穿孔時の加工熱を抑制し、顎骨の壊死を抑制できる。
また、主切刃により形成されたすくい角θ１と、シンニング切刃により形成されたすくい角θ２がチゼルの直下を除いて、θ１＞θ２を満たすことにより、見掛け上のすくい角が小さくなって顎骨に食い込む量が少なくなり、顎骨を容易に切れるようになる。また、θ２＞０°とすることにより、θ２を０°からマイナスとした場合の不具合（切削抵抗が増加して切れ味が悪くなる）が生じない。
【００３１】
請求項２の発明に係る第２の歯科用ドリルによれば、上記した第１の歯科用ドリルの効果に加え、先端部と外径部との間に傾斜部を備えているため、歯科用インプラントの形状に合致した第１のパイロット孔よりも大きい第２のパイロット孔を形成することができる。
また、逃げ角βｏｕｔｅｒが前記傾斜部の外周にのみ設けられ、外径部の外周には設けられていないため、第１の態様の歯科用ドリルを用いて空けた第１のパイロット孔を拡径する際に、主な切削場所となる傾斜部に大きな切削力を持たせることができる。また、ドリル先端部が第１のパイロット孔の底部に到達した後は、先端部の切削力と安定性が加味され穿孔が促進される。さらに、外径部に逃げ角βｏｕｔｅｒを設けていないため、先端部と傾斜部によって形成された円筒形状の第１のパイロット孔に沿って進み、外径部は円筒形状の第１のパイロット孔によって支えられる形となり、極めて安定した切削（穿孔）が可能となる。
さらに、外周溝が２つの切刃の両側に設けられているため、外周溝がブレーキとなり顎骨を穿孔する際に顎骨の切り過ぎを防ぐことができる。
【００３２】
請求項３の発明に係る第３の歯科用ドリルによれば、上記した第２の歯科用ドリルの効果に加え、先端部と外径部との間に傾斜部を備えているため、歯科用インプラントの形状に合致した第２のパイロット孔よりも大きい第３のパイロット孔を形成することができる。
【００３３】
請求項４の発明に係る第１乃至第３の歯科用ドリルによれば、シンニング面の最深部に沿って延びる線をドリル先端方向に延長した延長線が、ドリル正面側から見たとき、ドリル先端中心部と交わらずにドリルのヒール側又は切刃側にずれていることから、チゼルから切刃にかけて（一部ヒール部にも）或いはチゼル直下を除いてチゼル近傍から切刃にかけて、明確なすくい部を形成することができる。これによって切れ味が飛躍的に向上する。
【００３４】
請求項５の発明に係る第１乃至第３の歯科用ドリルによれば、前記ずれの幅がドリル直径の１０％以内であることから、より確実に切削抵抗を小さくすることができて優れた切れ味を得ることが可能となる。
【００３５】
請求項６の発明に係る第１乃至第３の歯科用ドリルによれば、前記延長線がドリルのヒール側にずれていることから、チゼルから切刃にかけて（一部ヒール部にも）明確なすくい部を形成することができる。これによってチゼル部から切刃部にかけて明確な切刃が形成され、切れ味が飛躍的に向上する。
また、すくい角は比較的大きくなり、前記延長線がドリルの切刃側にずれた場合や前記延長線がドリル先端中心部と交わる場合に比べて、切削力が最も大きくなる。
【００３６】
請求項７の発明に係る第１乃至第３の歯科用ドリルによれば、前記延長線がドリルの切刃側にずれていることから、チゼル直下を除いて、チゼル近傍から切刃にかけて明確なすくいが得られる。チゼル直下にはすくいが無いが、チゼル幅は、前記延長線がヒール側にずれた場合（場合１）よりも狭くなり、前記延長線がドリル先端中心部と交わる場合（場合２）と略同じとなり、加えて、シンニング部が大きくとれるため、切削抵抗が減少し、チゼル直下にすくいが無くとも、上記２つの場合（場合１，２）と同等以上の切れ味を得ることができる。
【００３７】
請求項８の発明に係る第１乃至第３の歯科用ドリルによれば、シンニング面の最深部に沿って延びる線をドリル先端方向に延長した延長線が、ドリル正面側から見たとき、ドリル先端中心部と交わることから、チゼル直下を除いて、チゼル近傍から切刃部にかけて明確な切刃が形成され、切れ味が飛躍的に向上する。また、チゼル幅が最小となるため、切削抵抗は却って減少し、前記延長線がヒール側にずれた場合と同様の切削力が得られる。
【００３８】
請求項９の発明に係る第１乃至第３の歯科用ドリルによれば、シンニング切刃のチゼルの直下を含む部分にすくい角が形成されていることから、チゼル直下から切刃にかけて顎骨と接する部分全てにすくい角が形成され、その全てが切刃として作用するため、切削力が大きくなるという利点がある（後記図１１（ａ）参照）。
【００３９】
請求項１０の発明に係る第１乃至第３の歯科用ドリルによれば、前記シンニング切刃のチゼルの直下近傍であって且つ直下を含まない部分にすくい角が形成されていることから、チゼル直下を除き、顎骨と接する部分が切刃として作用する。これによって、シンニング切刃のチゼルの直下を含む部分にすくい角が形成されている場合（場合３）に準ずる切削力が得られるが、チゼル先端部が狭くなるため、チゼル先端部の切削抵抗が減少し、場合３と同等の切れ味が得られる（後記図１１（ｂ）（ｃ）参照）。
【００４０】
請求項１１の発明に係る第２又は第３の歯科用ドリルによれば、傾斜部の外周に設けられた逃げ角βｏｕｔｅｒが０°＜βｏｕｔｅｒ＜２０°であるため、切刃の強度と切削の安定性を保ちつつ、切刃に大きな切削力を持たせることができる。
【００４１】
請求項１２の発明に係る第２又は第３の歯科用ドリルによれば、外周溝が２枚刃の外周に対し交互に設けられているため、切削する顎骨に切刃が必ず接触する状況を確保することができ、ブレーキ力を高め、より確実に顎骨の切り過ぎを防ぐことができる。
【００４２】
請求項１３の発明に係る第２又は第３の歯科用ドリルによれば、外周溝が２枚刃の外周に対し同位置に設けられているため、切削する顎骨に切刃が接触しない箇所ができるため、切削力を適切に抑制することができ、より確実に顎骨の切り過ぎを防ぐことができる。
【００４３】
請求項１４の発明に係る第１の歯科用ドリルによれば、ドリル直径が１．５ｍｍ〜３．５ｍｍであるため、目的部位以外を傷つけることなく、埋め込む歯科用インプラントの長さに合わせた深さまで、第１のパイロット孔を形成することができる。
【００４４】
請求項１５の発明に係る第２の歯科用ドリルによれば、ドリル直径が３．０ｍｍ〜５．０ｍｍであるため、第１の歯科用ドリルで穿孔した第１のパイロット孔を拡径することができる。
【００４５】
請求項１６の発明に係る第３の歯科用ドリルによれば、ドリル直径が４．０ｍｍ〜６．０ｍｍであるため、第２の歯科用ドリルで穿孔した第１のパイロット孔を拡径することができる。
【００４６】
請求項１７の発明に係る歯科用ドリルセットによれば、上記した第１から第３の歯科用ドリルの効果を備えた歯科用ドリルセットを提供でき、大きな切削力を有し加工熱の抑制を図ることで顎骨細胞等の細胞死を防ぎ、且つ顎骨を切り過ぎることが無く安全に、適切な大きさの歯科用インプラントの形状に合致した第３のパイロット孔を形成することができる。
【００４７】
請求項１８の発明に係る第１から第３の歯科用ドリルを用いた歯科インプラント埋込のための穿孔方法によれば、大きな切削力を有する上記第１から第３の歯科用ドリルを使用することで、加工熱の抑制を図り、顎骨細胞等の細胞死を防ぎ、且つ顎骨を切り過ぎることが無く安全に、適切な大きさの歯科用インプラントの形状に合致した第３のパイロット孔を形成する方法を提供できる。
【図面の簡単な説明】
【００４８】
【図１】本発明の第一実施形態に係るドリルを示す図であって、（ａ）は上面図（ドリルを先端側から見た図）、（ｂ）は先端部の正面図である。
【図２】本発明に係るドリルを図１（ｂ）よりも若干左方向から見た図である。
【図３】逃げ角を定義する図である。
【図４】シンニング形成時にドリルを砥石に当てる角度を示す図である。
【図５】シンニングの角度を示す図である。
【図６】（ａ）はシンニング部に直角な断面を示す図、（ｂ）は（ａ）の断面部位（Ａ−Ａ断面）を示す図である。
【図７】すくい面の縁部形状の別の例を示す図である。
【図８】本発明の第二実施形態のドリルを示す図であって、（ａ）は上面図（ドリルを先端側から見た図）、（ｂ）は先端部の正面図である。
【図９】本発明の第三実施形態のドリルを示す図であって、（ａ）は上面図（ドリルを先端側から見た図）、（ｂ）は先端部の正面図である。
【図１０】本発明の第四実施形態のドリルを示す図であって、（ａ）は上面図（ドリルを先端側から見た図）、（ｂ）は先端部の正面図である。
【図１１】本発明に係るドリルをチゼルに沿って縦方向（ドリル長さ方向）に切断した断面図であって、（ａ）は第二実施形態のドリル、（ｂ）は第三実施形態のドリル、（ｃ）は第四実施形態のドリルである。
【図１２】本発明に係るドリルにおけるシンニング切刃の創成用の砥石形状の例を示す図であり、砥石の回転端部（外周縁部）を示している。
【図１３】本発明に係るドリルにおけるシンニング切刃の創成用の砥石形状の例を示す図であり、砥石の回転端部（外周縁部）を示している。
【図１４】本発明の第六実施形態のドリルを示す図であって、（ａ）は側面図、（ｂ）は傾斜部と外周部の断面図である。
【図１５】本発明の第七実施形態のドリルの側面図である。
【図１６】本発明に係る歯科用ドリルに設けられる外周溝の説明図であって、（ａ）は外周溝が２枚刃の外周に対し交互に設けられ、外周溝の入口がドリル先端側に傾斜した形状、（ｂ）は外周溝が２枚刃の外周に対し同位置に設けられ、外周溝の入口がドリル先端側に傾斜した形状、（ｃ）は外周溝が２枚刃の外周に対し交互に設けられ、外周溝の入口が柄側に傾斜した形状、（ｄ）は外周溝が２枚刃の外周に対し同位置に設けられ、外周溝の入口が柄側に傾斜した形状、（ｅ）は外周溝が２枚刃の外周に対し交互に設けられ、外周溝の入口がドリル先端側と柄側の両方に傾斜した側面視略Ｖ字状の形状、（ｆ）は外周溝が２枚刃の外周に対し同位置に設けられ、外周溝の入口がドリル先端側と柄側の両方に傾斜した側面視略Ｖ字状の形状、（ｇ）は外周溝が側面視略矩形の形状、（ｈ）は外周溝が側面視略Ｕ字状の形状を示し、（ｉ）は（ｇ）における側面視略矩形状の外周溝の部分領域（Ｘ）の拡大図、（ｊ）は（ｈ）における側面視略Ｕ字状の外周溝の部分領域（Ｙ）の拡大図である。
【図１７】本発明に係る歯科用ドリルを使用して、段階的に骨穿孔する様子を示す図である。
【図１８】切削性能試験に用いたテストピースと、温度及び切削抵抗の測定位置を示す図面代用写真である。
【発明を実施するための形態】
【００４９】
以下、本発明に係る歯科用ドリルの好適な実施形態について、図面を参照しながら説明する。
図１は本発明に係る歯科用ドリルの第一実施形態を示す図であって、（ａ）は上面図（ドリルを先端側から見た図）、（ｂ）は先端部の正面図である。
【００５０】
本発明に係る歯科用ドリルは、回転軸対称に形成された２つの切刃を有し、先端部にシンニングが施されている。
切刃は、ドリル先端側から見たとき、チゼルエッジからドリル外周側に向けて曲線を含む形状に延びるシンニング切刃（１）と、シンニング切刃（１）の端部からドリル外周端まで延びる主切刃（２）とからなる。尚、図示例において、主切刃（２）は、シンニング切刃（１）の端部からドリル外周端まで直線状に延びているが、曲線状に延びていてもよいし、直線状部分と曲線状部分とを含む線状に延びていてもよい。これは本発明の全ての実施形態に共通する。
図中、（３）は逃げ面、（４）はチゼル、（５）は主切刃（２）により形成されたすくい面、（６）はシンニングにより形成された新たなすくい面、（Ｗ）はチゼル幅である。
【００５１】
第一実施形態の歯科用ドリルは、主切刃（２）の延びる方向における切刃長さが、主切刃（２）の長さを（Ａ）、シンニング切刃（１）の長さを（Ｂ）としたとき、０＜Ａ≦Ｂを満たしている。
シンニング切刃（１）の長さ（Ｂ）を、主切刃（２）の長さ（Ａ）と同じかそれ以上に設定することにより、Ａ＞Ｂである従来の歯科用ドリルに比べて切削抵抗を大幅に低減することが可能となる場合がある。
但し、本発明においては、後述する実施形態（図８、図１０参照）に示すように、Ａ＞Ｂとしてもよい。
【００５２】
第一実施形態の歯科用ドリルでは、切刃長さ全長（Ａ＋Ｂ）に占めるシンニング切刃（１）の長さ（Ｂ）の割合（Ｂ／（Ａ＋Ｂ））が大きいほど切削抵抗が低減されるため、できるだけシンニング切刃（１）の長さ（Ｂ）を長くして主切刃（２）の長さ（Ａ）を短くすることが好ましい。しかし、主切刃（２）の長さ（Ａ）が０になると、開けた穴の面精度が低下するため、０＜Ａとする必要がある。好ましくは、ドリル半径（Ｒ）に対してＲ×０．１≦Ａを満たすように設定する。
【００５３】
図２は第一実施形態の歯科用ドリルを正面より若干左方向から見た図である。
主切刃（２）により形成されたすくい角（θ１）と、シンニング切刃（１）により形成されたすくい角（θ２）は、θ１＞θ２＞０°を満たす。但し、チゼル（４）の直下のみでθ２≒０°（ほぼ０°に近いθ２＜０°）となる。
シンニング切刃（１）により形成されたすくい角（θ２）が、主切刃（２）により形成されたすくい角（θ１）より小さいということは、シンニングを施すことにより見掛け上のすくい角が小さくなる（緩くなる）ことを意味する。
本発明では、θ１＞θ２を満たすようにシンニング切刃（１）を形成することにより、見掛け上のすくい角が小さくなって被切削物に食い込む量が少なくなり、容易に切れるようになる。
【００５４】
θ２＞０°とするのは、シンニング切刃（１）により形成されたすくい角（θ２）が０°からマイナスになると逆に切削抵抗が増加し、却って切れ味が悪くなるためである。因みに、従来のドリルでは、中心部にすくいがあると刃先が欠け易くなるという理由から、すくい角がマイナスになるようなシンニングが施されている。
【００５５】
ドリルの捩れ角はドリルの種類によって様々であるが、概ね３０°前後に設定されている。しかし、この角度では切削抵抗が大きくなる。
捩れ角を小さくすることによりすくい角を小さくして切削抵抗を低減する方法もあるが、捩れ角を変えてドリルを製作するよりも従来の捩れ角を変えずに本発明の如くシンニングのみで見掛けのすくい角を変える方法は極めて簡単に行うことができるという大きな利点がある。
【００５６】
主切刃（２）により形成された刃先角（α１）と、シンニング切刃（１）により形成された刃先角（α２）は、α１＜α２＜９０°を満たす（尚、α１，α２について図６参照）。
【００５７】
ここで、すくい角と刃先角について補足説明する。
ドリルが本来持っているすくい角（シンニング形成前のすくい角）では、刃先角が鋭すぎて、刃先が楔のように被切削物に鋭く食い込むため、切削抵抗が大きくなる。
シンニングを行うことにより、すくい角が減少して刃先角が増大し、これによって切れ味が向上する（切削抵抗が減少する）。特に、本発明に係る歯科用ドリルに施されるシンニングによれば、作業に適した緩やかなすくい角と大きめの刃先角が創成されることとなる。
【００５８】
逃げ角（β）は０°＜β＜８°を満たすように設定する。好ましくは０°＜β≦４°を満たすように設定する。
一般的には、逃げ角を大きくとり、すくい角を大きくすることで、鋭利な刃先を形成することにより、鋭い切れ味が得られると考えられており、市販のドリルは共通してこのような形状を有している。
本発明では逃げ角（β）を０°＜β≦４°と小さく設定することにより、被切削物に食い込む量が少なくなり、被切削物を容易に切れるようになる。
【００５９】
ここで、逃げ角（β）は下記（イ）又は（ロ）により定義される。
（イ）半径５０ｍｍ以上の砥石外周部の砥石水平中心線上に、ドリル先端部の中心を合わせ、ドリル先端部の切刃部を砥石水平中心線と平行（＝水平）に当て、ドリル後端部を、ドリル先端部を中心に砥石水平中心線より下降させたときの砥石水平中心線とドリル中心軸線のなす角度（図３（ａ）参照）。
（ロ）砥石側面（垂直平面）の砥石水平中心線上に、ドリル先端部の中心を合わせ、ドリル先端部の切刃部を砥石水平中心線と平行（＝水平）に当て、ドリル後端部を、ドリル先端部を中心に砥石水平中心線より下降させたときの砥石水平中心線とドリル中心軸線のなす角度（図３（ｂ）参照）。
【００６０】
但し、（イ）と（ロ）とでは、図３（ａ）に示す砥石半径と、ドリル中心から切刃部までの距離：１／２Ｗ（Ｗ：心厚）とにより生まれる角度分（砥石半径５０ｍｍにおいて心厚（Ｗ）が２ｍｍの場合、約０．５７３°、半径１００ｍｍにおいては約０．２８６°、半径１５０ｍｍにおいては約０．１９１°）程度の違いが生じる。
そのため、（イ）で求める場合、この差分を加えたものを逃げ角とすることが好ましい。つまり、逃げ角は下式の通りに求めることが好ましい。
（イ）（図３（ａ））の場合：逃げ角＝β＋tan−１（（１−cos（sin−１0.5W／R））R÷0.5W）
（ロ）（図３（ｂ））の場合：逃げ角＝β
例えば、逃げ角３°で半径（Ｒ）５０ｍｍの砥石で研磨する、直径１０ｍｍ、心厚２ｍｍのドリルの実際の逃げ角は約３．５７３°となる。
【００６１】
チゼル幅（Ｗ）（図１（ａ）参照）は、被切削物を容易に切れるようにするために小さく設定することが好ましい。具体的には、ドリル直径の１０％以下に設定することが好ましい。例えば、ドリル直径φが２〜１３ｍｍの場合、チゼル幅（Ｗ）はドリル直径の増減に応じて０．１〜０．８ｍｍの範囲で増減させて設定する。
【００６２】
本発明では、シンニングの角度を従来のドリルに比べて小さく設定する。
従来のシンニングは、ドリル自体の強度・剛性を優先するために、シンニング形成時にドリルを砥石に当てる角度（θ）を大きめにしていた（図４（ａ）参照）。
角度（θ）を極力少なくし、砥石の研削面接線上にドリルの中心を近づけると、ドリル中心部のウエブと呼ばれる部分の抵抗を受けなくなるため、切削抵抗は大幅に減少する（図４（ｂ）参照）。
【００６３】
そこで、本発明においては、シンニングの角度を下記（I）及び（II）を満たすように設定することが好ましい。
（I）シンニングを行う砥石の垂直中心線に対してドリル中心軸線のなす角度（図４のθ）が０〜２０°
（II）シンニングを行う砥石の幅方向の中心線に対してドリル中心軸線のなす角度が２０〜３５°（図５参照）
但し、上記（II）のシンニングの角度の範囲は、先端角１１８°、捩れ角３０°の場合に求められたものであり、必ずしも全てのドリルに対して好適とはいえない。理論上は、上記（II）のシンニングの角度の上限値は、ドリルの刃先と平行な位置（＝先端角）の１／２の角度（１１８°の場合は５９°）までの範囲に設定することができる。
【００６４】
次に、シンニングの形状について説明する。
図６（ａ）はドリルのシンニング部に直角な断面（図６（ｂ）のＡ−Ａ断面）を示す図である。
図６（ａ）に示す例では、シンニングにより形成されたすくい面（６）の縁部（主切刃（２）により形成されたすくい面（５）との境界部）は、シンニングの半径（Ｒ２）によって円弧状に形成されている。尚、（Ｒ１）はドリル溝部の半径である。
図示のように、主切刃（２）により形成されたすくい角（θ１）と、シンニング切刃（１）により形成されたすくい角（θ２）は、θ１＞θ２＞０°を満たす。
また、主切刃（２）により形成された刃先角（α１）と、シンニング切刃（１）により形成された刃先角（α２）は、α１＜α２＜９０°を満たす。
【００６５】
本発明において、すくい面の縁部形状は、円弧状に限らず、円弧と直線を組み合わせた形状であってもよい（図７参照）。
本発明者らは、すくい面の縁部形状が円弧状の場合（図６（ａ））と、円弧と直線を組み合わせた形状の場合（図７）とが、同等の切れ味を有し、切削抵抗に違いが無いことを実験により確認している。
【００６６】
本発明に係る歯科用ドリルは、シンニング切刃（１）により形成されたシンニング面（８）の切屑排出溝との境界の稜線が、ドリル正面側から見たとき、ドリル軸芯方向（Ｃ）に対して傾斜した略放物線状（略Ｕ字状）に形成されている（図２参照）。尚、本発明において「ドリル正面側」とは、切屑排出溝の開口側を指す。
傾斜の方向は、図示の通り、ドリル先端側から基端側に向かうにつれ、シンニング切刃（１）側から主切刃（２）側へと移行する方向（正面視にて左斜め下方向）である。後述する実施形態についても同様である。
傾斜の角度（γ）は、２０〜３５°の範囲（例えば２７．５°）に設定する。この角度設定は、上述したように、シンニングを行う砥石の幅方向の中心線に対してドリル中心軸線のなす角度が２０〜３５°（図５参照）となるように設定することにより行うことができる。シンニングを行う際に、ドリル長手方向の中心軸に対して砥石の中心（図１（ａ）の一点鎖線（Ｌ）参照）を傾ける角度は、ドリルの捩れ角を考慮して、捩れ角−１０°〜捩れ角＋１０°の範囲に設定することが好ましい。但し、理論上はこの角度は捩れ角−１０°〜切刃側の先端角の１／２までに設定できる。
これらの構成（シンニング切刃の形状、傾斜の方向、傾斜の角度）は、本発明の全ての実施形態のドリルに共通する構成である。
【００６７】
図８は本発明の第二実施形態の歯科用ドリルを示す図であって、（ａ）は上面図（ドリルを先端側から見た図）、（ｂ）は先端部の正面図である。
第二実施形態の歯科用ドリルは、シンニング切刃（１）により形成されたシンニング面（８）が、ドリル正面側から見たとき、ドリル軸芯方向（Ｃ）に対して傾斜した略放物線状（略Ｕ字状）に形成されている（図８（ｂ）参照）。
シンニング切刃（１）により形成されたシンニング面（８）の最深部（シンニングにより削り取られた最も深い部分）に沿って延びる線をドリル先端方向に延長した延長線（Ｄ）は、ドリル正面側から見たとき、ドリル先端中心部（７）と交わらずにドリルのヒール側にずれている。
ずれ量（ｄ）は、ドリル直径の１０％以内であることが好ましい。１０％を超えると、切削抵抗が増加して切れ味が低下するためである。
【００６８】
シンニング切刃（１）のチゼル（４）の直下を含む部分にはすくい角が形成されている。図８（ａ）において、すくい角を形成しているすくい面を符号（１０）で示している。
チゼル（４）の直下を含む部分においてすくい角が形成されていることにより、チゼル（４）の直下にはチゼルと平行な方向の幅がチゼル幅（Ｗ）より狭い部分（９）が形成されている。（図１１（ａ）参照）
【００６９】
第二実施形態の歯科用ドリルは、主切刃（２）の延びる方向における切刃長さが、主切刃（２）の長さを（Ａ）、シンニング切刃（１）の長さを（Ｂ）としたとき、Ａ＞Ｂとなっている。
主切刃（２）により形成されたすくい角（θ１）と、シンニング切刃（１）により形成されたすくい角（θ２）は、θ１＞θ２＞０°を満たしている。チゼル（４）の直下においても同様である。
【００７０】
図９は本発明の第三実施形態の歯科用ドリルを示す図であって、（ａ）は上面図（ドリルを先端側から見た図）、（ｂ）は先端部の正面図である。
第三実施形態の歯科用ドリルも、シンニング切刃（１）により形成されたシンニング面（８）が、ドリル正面側から見たとき、ドリル軸芯方向（Ｃ）に対して傾斜した略放物線状（略Ｕ字状）に形成されている（図９（ｂ）参照）。
シンニング切刃（１）により形成されたシンニング面（８）の最深部に沿って延びる線をドリル先端方向に延長した延長線（Ｄ）は、ドリル正面側から見たとき、ドリル先端中心部（７）と交わらずにドリルの切刃側にずれている。
ずれ量（ｄ）は、ドリル直径の１０％以内であることが好ましい。１０％を超えると、切削抵抗が増加して切れ味が低下するためである。
【００７１】
シンニング切刃（１）のチゼル（４）の直下近傍であって且つ直下を含まない部分にはすくい角が形成されている。より具体的には、シンニング切刃（１）のチゼル（４）の直下よりも主切刃（２）側にすくい角が形成されている。図９（ａ）において、すくい角を形成しているすくい面を符号（１０）で示している。
【００７２】
第三実施形態の歯科用ドリルは、主切刃（２）の延びる方向における切刃長さが、主切刃（２）の長さを（Ａ）、シンニング切刃（１）の長さを（Ｂ）としたとき、０＜Ａ≦Ｂを満たしている。
主切刃（２）により形成されたすくい角（θ１）と、シンニング切刃（１）により形成されたすくい角（θ２）は、θ１＞θ２＞０°を満たす。但し、チゼル（４）の直下のみでθ２≒０°（ほぼ０°に近いθ２＜０°）となる。
【００７３】
図１０は本発明の第四実施形態の歯科用ドリルを示す図であって、（ａ）は上面図（ドリルを先端側から見た図）、（ｂ）は先端部の正面図である。
第四実施形態の歯科用ドリルも、シンニング切刃（１）により形成されたシンニング面が、ドリル正面側から見たとき、ドリル軸芯方向（Ｃ）に対して傾斜した略放物線状（略Ｕ字状）に形成されている（図１０（ｂ）参照）。
シンニング切刃（１）により形成されたシンニング面（８）の最深部に沿って延びる線をドリル先端方向に延長した延長線（Ｄ）は、ドリル正面側から見たとき、ドリル先端中心部（７）と交わっている。
【００７４】
シンニング切刃（１）のチゼル（４）の直下近傍であって且つ直下を含まない部分にはすくい角が形成されている。より具体的には、シンニング切刃（１）のチゼル（４）の直下よりも主切刃（２）側にすくい角が形成されている。図１０（ａ）において、すくい角を形成しているすくい面を符号（１０）で示している。
【００７５】
第四実施形態の歯科用ドリルは、主切刃（２）の延びる方向における切刃長さが、主切刃（２）の長さを（Ａ）、シンニング切刃（１）の長さを（Ｂ）としたとき、Ａ＞Ｂとなっている。
主切刃（２）により形成されたすくい角（θ１）と、シンニング切刃（１）により形成されたすくい角（θ２）は、θ１＞θ２＞０°を満たす。但し、チゼル（４）の直下のみでθ２≒０°（ほぼ０°に近いθ２＜０°）となる。
【００７６】
第五実施形態の歯科用ドリルは、上記第一から第四実施形態の歯科用ドリルのいずれかの特徴を備え、ドリル直径が１．５ｍｍから３．５ｍｍ、好ましくは、１．５ｍｍから２．５ｍｍの歯科用ドリルである。上記のドリル直径であることにより、埋め込む歯科用インプラントの長さに合わせた深さまで、第１のパイロット孔を形成することができる。また、上記第一から第四実施形態の歯科用ドリルのいずれかの特徴を備えていることにより、従来の歯科用ドリルよりも切削抵抗が低くなり、骨穿孔時の加工熱を抑えることができる。
【００７７】
第六実施形態の歯科用ドリルは、ドリル先端部の直径（１１）がドリル直径（１２）よりも小さく、先端部（１３）と外径部（１４）との間に傾斜部（１５）を備え、逃げ角（βｏｕｔｅｒ）が傾斜部（１５）の外周にのみ設けられ（図１４の（ｂ）参照）、外周溝（１６）が２つの切刃の両側に設けられている（図１４の（ａ）参照）。ドリル直径は３．０ｍｍから５．０ｍｍ、好ましくは、３．０ｍｍから４．０ｍｍである。尚、第六実施形態の歯科用ドリルは、上記した特徴以外に関しては上記第一から第四実施形態の歯科用ドリルのいずれかの特徴を備えている。上記のドリル直径であることにより、第五実施形態の歯科用ドリルで空けた第１のパイロット孔を拡径することができる。
本発明に係る歯科用ドリルは溝長（１７）中で異なる直径を有するため、本明細書におけるドリル直径（１２）とは溝長（１７）中で最も大きい直径のことをいう。
また、本明細書において、ドリル直径（１２）を有する部位の外周部分を外径部（１４）という。
【００７８】
第六実施形態の歯科用ドリルはドリル先端部の直径（１１）がドリル直径（１２）よりも小さいため、先端部（１３）と外径部（１４）との間に傾斜部（１５）が形成される。第１のパイロット孔の拡径のための切削は主にこの傾斜部（１５）で行うことになるため、傾斜部（１５）の外周にのみ逃げ角（βｏｕｔｅｒ）を設け、傾斜部（１５）の切刃に大きな切削力を持たせる。
傾斜部（１５）の逃げ角（βｏｕｔｅｒ）は０°＜βｏｕｔｅｒ＜２０°を満たすように設定する。好ましくは０°＜βｏｕｔｅｒ≦１５°、より好ましくは０°＜βｏｕｔｅｒ＜８°を満たすように設定する。
尚、外径部（１４）には逃げ角（βｏｕｔｅｒ）を設けないことが好ましい。これにより、第五実施形態の歯科用ドリルを用いて空けた第１のパイロット孔を拡径する際に、主に傾斜部（１５）の切刃で切削を行い、先端部（１３）が第１のパイロット孔の底部に到達した後は、先端部（１３）の切削力と安定性が加味され穿孔が促進される。さらに、外径部（１４）に逃げ角（βｏｕｔｅｒ）を設けていないため、先端部（１３）と傾斜部（１５）にて形成した円筒形状のパイロット孔に沿って進み、外径部（１４）は円筒形状のパイロット孔によって支えられる形となり、極めて安定した切削（穿孔）が可能となる。
第六実施形態の歯科用ドリルは傾斜部（１５）を有するため、本歯科用ドリルを用いて骨穿孔することにより、歯科用インプラントの形状に合致した第２のパイロット孔を形成することができる。
【００７９】
第六実施形態の歯科用ドリルは、２つの切刃の両側に外周溝（１６）が設けられている。外周溝（１６）が設けられることにより、切削中に外周溝（１６）がブレーキとなって、顎骨の切り過ぎを防ぐことができる。
図１６に示すように、外周溝（１６）は２枚刃の外周に対し交互に設けられる、あるいは２枚刃の外周に対し同位置に設けられる。また、外周溝（１６）を、２枚刃の外周に対し、ある箇所では交互に配置し、ある箇所では同位置に配置してもよい。２枚刃の外周に対し交互に設けることで、切削するパイロット孔に対して切刃が必ず接触している状況を確保することができる。また、２枚刃の外周に対し同位置に設けることで、切削するパイロット孔に切刃が接触しない箇所ができるため切削力が抑制される。
【００８０】
図１６の（ａ）から（ｆ）に示すように、外周溝（１６）の入口の形状はドリル先端側に傾斜した形状、柄側に傾斜した形状、ドリル先端側と柄側の両方に傾斜した側面視略Ｖ字状、又は図１６の（ｇ）に示すように側面視略矩形状、若しくは図１６の（ｈ）に示すように側面視略Ｕ字状の形状が好ましい。図１６の（ｉ）は図１６の（ｇ）における側面視略矩形状の外周溝の部分領域（Ｘ）の拡大図、図１６の（ｊ）は図１６の（ｈ）における側面視略Ｕ字状の外周溝の部分領域（Ｙ）の拡大図である。外周溝の入口に傾斜を有することで、切削時のブレーキ力をより高めることができる。
【００８１】
第七実施形態の歯科用ドリルは、上記第六実施形態の歯科用ドリルと同じ特徴を備え、ドリル直径のみ異なる（図１５参照）。第七実施形態の歯科用ドリルのドリル直径は４．０ｍｍから６．０ｍｍ、好ましくは、４．０ｍｍから５．０ｍｍである。上記のドリル直径であることにより、第六実施形態の歯科用ドリルで空けた第２のパイロット孔を拡径することができ、適切な大きさ及び形の第３のパイロット孔を形成することができる。
【００８２】
上記第二〜第七実施形態の歯科用ドリルはいずれも、上記第一実施形態の歯科用ドリルと同様に、シンニング切刃（１）が、ドリル正面側から見たとき、ドリル軸芯方向（Ｃ）に対して傾斜した略放物線状（略Ｕ字状）に形成されているという特徴を有している。
これにより、０＜Ａ≦Ｂを満たさなくとも、チゼルに掛かる負荷が減少し、チゼル幅を狭くすることが可能となる。具体的には、シンニング後のチゼル幅は、ドリル直径の３〜５％程度まで狭くすることが可能となる。そのため、切削抵抗が減少して優れた切れ味を得ることができ、骨穿孔にとって絶大な効果を発揮する。
【００８３】
以上、本発明に係る第一から第七実施形態について説明したが、インプラントのためのパイロット孔を形成する際には、第五から第七実施形態の３つの歯科用ドリルをセットで使用することが望ましい。しかし、第一から第七実施形態の歯科用ドリルの単独使用あるいは組み合わせた使用でもよい。
また、本発明に係る歯科用ドリルの材質は、ステンレス、チタン合金など、医療用途に定められた材質が好ましい。
【００８４】
以下、本発明に係るドリルにおけるシンニング切刃（１）の創成用の砥石形状について説明する。図１２〜図１３は砥石形状の例を示す図であり、砥石の回転端部（外周縁部）を示している。
砥石は、回転端部に１つ以上の曲率半径をもった砥石とする。
砥石の曲率半径の１つをＲ１とし、このＲ１を主に切刃部に掛かるシンニング切刃創成用の半径とする。次にＲ１と隣り合ってＲ１と滑らかに繋がる曲面を形成する曲率半径Ｒ２を、主にヒール部に当たるように設ける。
【００８５】
このＲ１とＲ２の２つの曲率半径の組み合わせを基本に、ドリルの直径及び心厚の比率に応じて、図１３に示すように、Ｒ１とＲ２の大小関係（Ｒ１＝Ｒ２、Ｒ１＜Ｒ２、Ｒ１＞Ｒ２）を変更したり、太いドリルに対応するためにＲ１とＲ２の間により大きいＲ３を設けたり、砥石幅に対して大きな曲率半径を収束させるために砥石コーナーに小さいＲ４、Ｒ５を形成する。
また、上記１つ以上の曲率半径を組み合わせた砥石を使用することもできる。
更に、図１３に示すように、Ｒ部の間に直線部を含ませたり、側面に傾斜をつけたりして、シンニングを施してもよい。
【００８６】
以下に、例として第五から第七実施形態の歯科用ドリルを用いたインプラントのための骨切削方法について記載する（図１７参照）。尚、上記した組み合わせ以外の各実施形態の組み合わせや単独での使用によって骨穿孔を行ってもよく、穿孔方法についても通常使用される方法を用いてもよい。
【００８７】
骨穿孔は工程（１）から（４）で構成される。
工程（１）：この工程で第１の歯科用ドリル（ＤＲ１）を用いて、該第１の歯科用ドリルの直径によって顎骨の予め決められた位置に、顎骨の皮質を該第１の歯科用ドリル先端によって穿孔して第１のパイロット孔（ＰＯ１）を穿設して、顎骨内に穿設された前記第１のパイロット孔（ＰＯ１）に深さ測定ゲージを導入して前記第１のパイロット孔を正確な深さに制御する。
工程（２）：この工程で前記第１の歯科用ドリル（ＤＲ１）の直径より大きい直径を有する第２の歯科用ドリル（ＤＲ２）を前記第１のパイロット孔（ＰＯ１）に挿入して穿孔して第２のパイロット孔（ＰＯ２）を穿設して、顎骨内に穿設された第２のパイロット孔（ＰＯ２）に対応する深さ測定ゲージを導入して前記第２のパイロット孔（ＰＯ２）を正確な深さに制御する。
工程（３）：この工程で前記第２の歯科用ドリル（ＤＲ２）の直径より大きい直径を有する第３の歯科用ドリル（ＤＲ３）を前記第２のパイロット孔（ＰＯ２）に挿入して穿孔して第３のパイロット孔（ＰＯ３）を穿設して、顎骨内に穿設された第３のパイロット孔（ＰＯ３）に対応する深さ測定ゲージを導入して前記第３のパイロット孔（ＰＯ３）を正確な深さに制御する。
工程（４）：この工程で前記第３のパイロット孔（ＰＯ３）にインプラントを螺着する。
尚、第１、第２及び第３の歯科用ドリルは、前述の第五から第七実施形態のものを使用することができるが、これに限定されない。
【００８８】
上記の方法により、切削時の顎骨細胞等の細胞死を防ぎ、且つ顎骨を切り過ぎることが無く安全に、適切な大きさの歯科用インプラントの形状に合致した第３のパイロット孔を形成することができる。
【実施例】
【００８９】
本発明の実施例と比較例の歯科用ドリルを用いて、切削性能試験を実施した。
（試験方法）
ＮＣフライス盤にモデルボーンを輪切りにしたテストピースを取り付けて、比較例と実施例１−３の計４種類×３形態の歯科用ドリルで切削を行い、各々の切削時に発生する温度及び、垂直方向に発生する切削抵抗を測定し、発熱と切れ味による各ドリルの性能を比較した（図１８参照）。
各種ドリルは３段階（１ｓｔ〜３ｒｄ）に分けて順次拡大し、３段階目（３ｒｄ）で最終形状（第３のパイロット孔）を形成できるものとしている。
各種ドリルによる切削は、以下の条件で実施した。
温度：１６℃
モデルボーン（テストピース）表面温度：１２℃
回転数：８．３３ｓ−１
送り速度：０．１ｍｍ／ｒｅｖ．
実施例１−３の２ｎｄ及び３ｒｄのドリルの外周溝は、外周溝が２枚刃の外周に対し交互に設けられ、外周溝の入口がドリル先端側に傾斜した形状（図１６の（ａ）参照）のものを使用した。
下記表１に実施例１−３の外周溝の有無を示す。
【００９０】
【表１】
2017217278.tif 000003
【００９１】
（試験結果）
各種ドリルによる切削時に発生した温度及び、垂直方向に発生した切削抵抗の測定値を表２に示す。
また、切削性能試験から得られた実施例１−３の特徴を表３に示す。
【００９２】
【表２】
2017217278.tif 000004
【００９３】
【表３】
2017217278.tif 000005
【００９４】
比較例の２ｎｄ及び３ｒｄドリルでは切削時に発生した温度が、骨細胞が壊死し得る４７℃を超えて５０℃に達していたが、実施例１−３のドリルでは全てのドリルにおいて４７℃未満の温度であった。
さらに、切削抵抗においても、比較例では３．４〜５．５ｋｇだったが、実施例では１．１〜２．０ｋｇであった。
また、２ｎｄ及び３ｒｄドリルの傾斜部と外周部に溝を設けることで、切削抵抗は多少上昇するが、切削時の発生温度を低く保ったまま操作性を良くすることが可能になり、温度上昇を防ぎ、且つ切り過ぎも防ぐことができる。
このように、本発明の歯科用ドリルは、従来の歯科用ドリルと比較して、切削抵抗を大きく低減でき、切削時の温度上昇を抑えることで顎骨の壊死を防ぐことができる。さらに、溝を傾斜部及び／又は外周部に設けることで、溝がストッパーとなり、切り過ぎを防止することもできる。
【産業上の利用可能性】
【００９５】
本発明に係る歯科用ドリルは、歯科用インプラントの顎骨への埋込のための顎骨への穿孔用ドリルとして好適に使用される。
【符号の説明】
【００９６】
１      シンニング切刃
２      主切刃
３      逃げ面
４      チゼル
５      主切刃により形成されたすくい面
６      シンニングにより形成されたすくい面
７      ドリル先端中心部
８      シンニング切刃により形成されたシンニング面
９      チゼルと平行な方向の幅がチゼル幅より狭い部分
１０    すくい角を形成しているすくい面
１１    ドリル先端部の直径
１２    ドリル直径
１３    先端部
１４    外径部
１５    傾斜部
１６    外周溝
１７    溝長
Ａ      主切刃の長さ
Ｂ      シンニング切刃の長さ
Ｃ      ドリル軸芯方向
Ｄ      シンニング面の最深部に沿って延びる線をドリル先端方向に延長した延長線
ＤＲ１  第１の歯科用ドリル
ＤＲ２  第２の歯科用ドリル
ＤＲ３  第３の歯科用ドリル
ｄ      ずれ量
ＰＯ１  第１のパイロット孔
ＰＯ２  第２のパイロット孔
ＰＯ３  第３のパイロット孔
Ｒ      ドリル半径
Ｘ      側面視略矩形状の外周溝の部分領域
Ｙ      側面視略Ｕ字状の外周溝の部分領域
θ１     主切刃により形成されたすくい角
θ２     シンニング切刃により形成されたすくい角
α１     主切刃により形成された刃先角
α２     シンニング切刃により形成された刃先角
β      逃げ角
βｏｕｔｅｒ  傾斜部の逃げ角
γ      シンニング面の傾斜角度
Ｒ１     主切刃によるすくい面を形成する半径
Ｒ２     シンニングによるすくい面を形成する半径
Ｗ      チゼル幅
θ      シンニング形成時にドリルを砥石に当てる角度
【図１】
2017217278.tif 000006
【図２】
2017217278.tif 000007
【図３】
2017217278.tif 000008
【図４】
2017217278.tif 000009
【図５】
2017217278.tif 000010
【図６】
2017217278.tif 000011
【図７】
2017217278.tif 000012
【図８】
2017217278.tif 000013
【図９】
2017217278.tif 000014
【図１０】
2017217278.tif 000015
【図１１】
2017217278.tif 000016
【図１２】
2017217278.tif 000017
【図１３】
2017217278.tif 000018
【図１４】
2017217278.tif 000019
【図１５】
2017217278.tif 000020
【図１６】
2017217278.tif 000021
【図１７】
2017217278.tif 000022
【図１８】
2017217278.tif 000023
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
回転軸対称に形成された２つの切刃を有し、先端部にシンニングが施されており、
前記切刃が、ドリル先端側から見たとき、チゼルエッジからドリル外周側に向けて曲線を含む形状に延びるシンニング切刃と、前記シンニング切刃の端部からドリル外周端まで延びる主切刃とからなり、
前記シンニング切刃により形成されたシンニング面の切屑排出溝との境界の稜線が、前記切屑排出溝の開口側であるドリル正面側から見たとき、ドリル軸芯方向に対してドリル先端側から基端側に向かうにつれてシンニング切刃側から主切刃側へと移行する方向に傾斜した略Ｕ字状に形成されており、
前記主切刃により形成されたすくい角θ１と、前記シンニング切刃により形成されたすくい角θ２がチゼルの直下を除いて、θ１＞θ２＞０°を満たし、
前記先端部の直径がドリル直径よりも小さく、
前記先端部と前記ドリル直径の外径部との間に傾斜部を備え、
逃げ角βｏｕｔｅｒが前記傾斜部の外周にのみ設けられ、
外周溝が前記２つの切刃の両側に設けられていることを特徴とする歯科用ドリル。
【請求項２】
前記シンニング面の最深部に沿って延びる線をドリル先端方向に延長した延長線が、前記ドリル正面側から見たとき、ドリル先端中心部と交わらずにドリルのヒール側又は切刃側にずれていることを特徴とする請求項１に記載の歯科用ドリル。
【請求項３】
前記ずれの幅が、ドリル直径の１０％以内であることを特徴とする請求項２に記載の歯科用ドリル。
【請求項４】
前記延長線が、ドリルのヒール側にずれていることを特徴とする請求項２又は３に記載の歯科用ドリル。
【請求項５】
前記延長線が、ドリルの切刃側にずれていることを特徴とする請求項２又は３に記載の歯科用ドリル。
【請求項６】
前記シンニング面の最深部に沿って延びる線をドリル先端方向に延長した延長線が、前記ドリル正面側から見たとき、ドリル先端中心部と交わることを特徴とする請求項１に記載の歯科用ドリル。
【請求項７】
前記シンニング切刃のチゼルの直下を含む部分にすくい角が形成されていることを特徴とする請求項２乃至４のいずれか１つに記載の歯科用ドリル。
【請求項８】
前記シンニング切刃のチゼルの直下近傍であって且つ直下を含まない部分にすくい角が形成されていることを特徴とする請求項２、３、５、６のいずれか１つに記載の歯科用ドリル。
【請求項９】
前記逃げ角βｏｕｔｅｒが０°＜βｏｕｔｅｒ＜２０°であることを特徴とする、請求項１乃至８のいずれか１つに記載の歯科用ドリル。
【請求項１０】
前記外周溝が、２枚刃の外周に対し交互に設けられていることを特徴とする、請求項１乃至９のいずれか１つに記載の歯科用ドリル。
【請求項１１】
前記外周溝が、２枚刃の外周に対し同位置に設けられていることを特徴とする、請求項１乃至９のいずれか１つに記載の歯科用ドリル。
【請求項１２】
ドリル直径が３．０ｍｍ〜５．０ｍｍであることを特徴とする、請求項１乃至１１のいずれか１つに記載の歯科用ドリル。
【請求項１３】
ドリル直径が４．０ｍｍ〜６．０ｍｍであることを特徴とする、請求項１乃至１１のいずれか１つに記載の歯科用ドリル。
【請求項１４】
第１のパイロット孔を穿孔するための最もドリル径が小さい第１の歯科用ドリルと、第２のパイロット孔を穿孔するための該第１の歯科用ドリルよりもドリル径が大きい第２の歯科用ドリルと、第３のパイロット孔を穿孔するための該第２の歯科用ドリルよりもドリル径が大きい第３の歯科用ドリルの３つの歯科用ドリルを用いて行う歯科治療用の歯科用ドリルセットであって、該歯科用ドリルセットは、
第１の歯科用ドリルと、
請求項１乃至１２のいずれか１つに記載の第２の歯科用ドリルと、
請求項１乃至１１又は１３のいずれか１つに記載の第３の歯科用ドリルと
を含む歯科用ドリルセット。